(57)【特許請求の範囲】
【請求項１】
車両に搭載される車載端末装置であって、
無線通信を用いた車両外部との音声通話による通話音声である第一音声の信号が入力される第一音声入力部と、
少なくとも車両に関する案内音声を含む音声であって前記第一音声以外の第二音声の信号が入力される第二音声入力部と、
前記第一音声及び前記第二音声の少なくとも一方の出力を行う音声出力部と、
前記音声出力部により出力する音声の制御を行う出力制御部と、を備え、
前記第一音声は、優先出力通話先として予め登録された相手先との通話音声である優先第一音声と、それ以外の相手先との通話音声である通常第一音声と、を含み、
前記第二音声は、ナビゲーション装置から出力される音声を含む車両に関する案内音声と、オーディオ再生装置から出力されるオーディオ音声と、を含み、
前記出力制御部は、前記オーディオ音声と前記案内音声とが重複して入力されている場合には、前記オーディオ音声と前記案内音声とを共に出力し、
前記第一音声と前記第二音声とが重複して入力されている場合に、前記音声通話の相手先に応じて、前記第一音声と前記第二音声との出力割合を決定するに際して、
前記オーディオ音声と前記通常第一音声又は前記優先第一音声とが重複して入力されている場合には、前記オーディオ音声の出力を禁止して前記通常第一音声又は前記優先第一音声を出力し、
前記案内音声と前記通常第一音声とが重複して入力されている場合には、前記案内音声と前記通常第一音声とを共に出力し、
前記案内音声と前記優先第一音声とが重複して入力されている場合には、前記案内音声の出力を禁止して前記優先第一音声を出力する車載端末装置。
【請求項２】
前記出力制御部は、前記優先第一音声、前記通常第一音声、前記案内音声、及び前記オーディオ音声を含む複数の音声種別のそれぞれについて、音声の出力形態として通常出力及び当該通常出力に対して割り込んで出力する割込出力のいずれかを設定すると共に、同じ出力形態が設定された複数の音声種別のそれぞれに同形態内優先度を設定し、前記出力形態と前記同形態内優先度とに基づいて、各音声種別の音声の出力割合を決定する請求項１に記載の車載端末装置。
【請求項３】
前記出力制御部は、前記通常第一音声及び前記オーディオ音声の出力形態として通常出力を設定すると共に、前記通常第一音声の出力優先度を前記オーディオ音声の出力優先度より高く設定し、前記優先第一音声及び前記案内音声の出力形態として割込出力を設定すると共に、前記優先第一音声の出力優先度を前記案内音声の出力優先度より高く設定している請求項２に記載の車載端末装置。
【請求項４】
前記出力制御部は、前記優先第一音声、前記通常第一音声、前記案内音声、及び前記オーディオ音声を含む複数の音声種別のそれぞれについて、前記音声出力部を占有する割合である出力占有率を設定し、当該出力占有率にも基づいて、各音声種別の音声の出力割合を決定する請求項１から３の何れか一項に記載の車載端末装置。
【請求項５】
前記音声出力部は、複数の出力ユニットを備え、
前記出力制御部は、決定した各音声の出力割合に基づいて、複数の前記出力ユニットのそれぞれにおける、各音声の出力割合を設定する請求項１から４の何れか一項に記載の車載端末装置。
【発明の詳細な説明】
【技術分野】
【０００１】
本発明は、無線通信を用いた車両外部との音声通話による通話音声の出力を制御する車両に搭載される車載端末装置に関する。
【背景技術】
【０００２】
無線通信を用いた車両外部との音声通話に関わる音声の出力を制御する機能を備えた車載端末装置として、例えば、下記の特許文献１に記載された装置が既に知られている。この車載端末装置では、オーディオ音声の出力中に、ナビゲーション装置の案内音声又は電話の着信音などの割込音声を出力する場合に、各音声の優先度を判定し、優先度の高い音声を出力するように制御している。
【０００３】
しかし、特許文献１の技術では、電話の着信があった場合は、着信音の出力優先度が他の音声よりも高いと判定し、他の音声をミュートして、着信音のみを出力している。従って、着信音の出力中は、ナビゲーション装置の案内音声が生じたとしても出力が禁止される。ナビゲーション装置の案内音声など、車両に関する案内音声には、運転に関する音声が含まれており、着信中に案内音声がミュートされてしまうと、運転の安全性が低下してしまう恐れがある。
一方、仮に、案内音声の出力中は着信音の出力を禁止するようにした場合は、着信先が重要な相手先であった場合でも、通話を開始することができないなど、重要な通話先との通話の確実性が低下してしまう恐れがある。
従って、通話に関わる音声と、案内音声との出力優先度を、通話先に関わらず、一律同じように判定しているのでは、重要な通話先との通話の確実性と運転の安全性とのバランスを取ることが困難であった。
【先行技術文献】
【特許文献】
【０００４】
【特許文献１】特開２００４−３２０５８２号公報
【発明の概要】
【発明が解決しようとする課題】
【０００５】
そこで、発明が解決しようとする課題は、通話音声と車両に関する案内音声とが重複して入力された場合に、通話先を考慮して、通話の確実性と運転の安全性とのバランスを図ることができる通話音声を出力する車載端末装置を提供することにある。
【課題を解決するための手段】
【０００６】
本発明に係る、無線通信を用いた車両外部との音声通話による通話音声である第一音声の信号が入力される第一音声入力部と、少なくとも車両に関する案内音声を含む音声であって前記第一音声以外の第二音声の信号が入力される第二音声入力部と、前記第一音声及び前記第二音声の少なくとも一方の出力を行う音声出力部と、前記音声出力部により出力する音声の制御を行う出力制御部と、を備えた車両に搭載される車載端末装置の特徴構成は、前記第一音声は、優先出力通話先として予め登録された相手先との通話音声である優先第一音声と、それ以外の相手先との通話音声である通常第一音声と、を含み、前記第二音声は、ナビゲーション装置から出力される音声を含む車両に関する案内音声と、オーディオ再生装置から出力されるオーディオ音声と、を含み、前記出力制御部は、前記オーディオ音声と前記案内音声とが重複して入力されている場合には、前記オーディオ音声と前記案内音声とを共に出力し、前記第一音声と前記第二音声とが重複して入力されている場合に、前記音声通話の相手先に応じて、前記第一音声と前記第二音声との出力割合を決定するに際して、前記オーディオ音声と前記通常第一音声又は前記優先第一音声とが重複して入力されている場合には、前記オーディオ音声の出力を禁止して前記通常第一音声又は前記優先第一音声を出力し、前記案内音声と前記通常第一音声とが重複して入力されている場合には、前記案内音声と前記通常第一音声とを共に出力し、前記案内音声と前記優先第一音声とが重複して入力されている場合には、前記案内音声の出力を禁止して前記優先第一音声を出力する点にある。
【０００７】
上記の特徴構成によれば、通話先の重要度又は緊急性などに応じて、通話音声である第一音声の第二音声に対する出力割合を増加又は減少させることができる。例えば、通話先の重要度又は緊急度が高い場合などにおいて、通話音声の出力割合を高めることができ、
車両内に出力される通話音声以外の音声を低減することができる。よって、通話先から伝達される音声を聞き取り易くでき、通話による情報伝達の確実性を高められる。あるいは、車両内に出力される通話音声以外の音声が、通話先に伝達されることを抑制することができる。
一方、第二音声に含まれる車両に関する案内音声には、例えば、車両周辺の道路情報や、車両の故障情報などの、車両を安全又は快適に運転する上で必要となる情報が含まれる場合がある。従って、通話先の重要度又は緊急度がそれほど高くない場合などは、通話音声の出力割合を適度に低下させて、車両に関する案内音声の出力割合を高めることができる。よって、通話中に、運転の安全性及び快適性が大幅に低下することを防止できると共に、通話に支障が生じることを抑制できる。
また、上記の特徴構成によれば、通話先が優先出力通話先である場合は、優先第一音声以外の音声の出力を禁止するので、他の音声が入力されている場合であっても、重要度又は緊急度が高い通話先との通話の情報伝達の確実性を最大限に高めることができる。また、優先出力通話との通話がされていない場合は、オーディオ音声が入力されている場合であっても、入力されている通常第一音声及び案内音声を必ず出力するようにしているので、通話の情報伝達の確実性及び運転の安全性の双方を必ず維持することができる。また、オーディオ音声と通常第一音声が入力されている場合は、オーディオ音声の出力を禁止して、通常第一音声を出力するので、通話中に娯楽に関連するオーディオ音声が出力されることを防止でき、通話の情報伝達の確実性を最大限に高めることができる。一方、オーディオ音声と案内音声が入力されている場合は、オーディオ音声と案内音声とを共に出力し、娯楽と、案内による運転の安全性とを両立することができる。
【０００８】
ここで、前記出力制御部は、前記優先第一音声、前記通常第一音声、前記案内音声、及び前記オーディオ音声を含む複数の音声種別のそれぞれについて、音声の出力形態として通常出力及び当該通常出力に対して割り込んで出力する割込出力のいずれかを設定すると共に、同じ出力形態が設定された複数の音声種別のそれぞれに同形態内優先度を設定し、前記出力形態と前記同形態内優先度とに基づいて、各音声種別の音声の出力割合を決定する構成とすると好適である。
【０００９】
この構成によれば、第一音声について、通話先に応じて優先第一音声と通常第一音声とに音声種別を設定しているので、通話先の重要度などに応じた分類をすることができる。また、第二音声について、車両に関する案内音声と、オーディオ音声に音声種別を設定しているので、運転の安全性との関連性などに応じた分類をすることができる。また、案内音声には、ナビゲーション装置から出力される音声が含まれ、当該音声には運転支援を行う音声が含まれるので、案内音声は運転の安全性に大きく関連する。このように分類した各音声種別の音声の出力割合を決定しているので、通話の情報伝達の確実性などを優先して高めたい場合、通話中の案内音声による運転の安全性なども高めたい場合、及びそれ以外の場合に適合して、適切に出力割合を決定することができる。
また、音声には、オーディオ音声のように継続して出力される音声と、車両に関する案内音声のように所定期間だけ出力される音声がある。これらの音声が重複して入力された場合は、継続して出力されている音声に対して、割込んで他の音声を出力する形態となる。上記の構成によれば、各音声種別について、通常音声と、通常音声に割り込んで出力する割込音声との出力形態を設定しているので、音声が重複して入力された場合に適した出力形態に分類することができる。また、各出力形態に分類された音声種別のそれぞれについて同形態内優先度を設定しているので、各音声種別の出力形態毎にランク付けを行うことができ、同じ出力形態内での出力割合の決定が容易になる。
【００１０】
ここで、前記出力制御部は、前記通常第一音声及び前記オーディオ音声の出力形態として通常出力を設定すると共に、前記通常第一音声の出力優先度を前記オーディオ音声の出力優先度より高く設定し、前記優先第一音声及び前記案内音声の出力形態として割込出力を設定すると共に、前記優先第一音声の出力優先度を前記案内音声の出力優先度より高く設定している構成とすると好適である。
【００１１】
この構成によれば、通常第一音声又はオーディオ音声が出力されていても、優先第一音声又は案内音声を割り込んで出力させることができる。よって、優先出力通話先以外の通話先との通話中又はオーディオ音声の出力中においても、通話の情報伝達の確実性又は案内による運転の安全性を高めることができる。
また、通常出力の出力形態の中で、オーディオ音声よりも通常第一音声の出力優先度を高く設定しているので、入力されている第二音声がオーディオ音声である場合は、運転の安全性との関連性がないため、オーディオ音声よりも通常第一音声を優先して出力し、優先出力通話先以外の通話先であっても、通話の情報伝達の確実性を高めることができる。
また、割込出力の出力形態の中で、案内音声よりも優先第一音声の出力優先度を高く設定しているので、優先出力通話先との通話音声を最も優先して出力し、優先出力通話先との通話の情報伝達の確実性を高めることができる。
【００１２】
ここで、前記出力制御部は、前記優先第一音声、前記通常第一音声、前記案内音声、及び前記オーディオ音声を含む複数の音声種別のそれぞれについて、前記音声出力部を占有する割合である出力占有率を設定し、当該出力占有率にも基づいて、各音声種別の音声の出力割合を決定する構成とすると好適である。
【００１３】
この構成によれば、各音声種別について、設定された出力占有率に基づいて、音声出力部における各音声種別の音声の出力割合を適切に決定することができる。従って、例えば、スピーカ等の音声出力部を複数備える場合であっても、各音声出力部における各音声種別の音声の出力割合を容易かつ適切に決定できる。
【００１４】
ここで、前記音声出力部は、複数の出力ユニットを備え、前記出力制御部は、決定した各音声の出力割合に基づいて、複数の前記出力ユニットのそれぞれにおける、各音声の出力割合を設定する構成とすると好適である。
【００１５】
この構成によれば、各出力ユニットで、各音声の出力割合が異なるようにすることができる。よって、各音声について、例えば、各音声を必要とする搭乗者に近い出力ユニットにおいて、必要されている音声の出力割合を高めるなど、各搭乗者が必要としている音声の聞き易さを向上することができる。
もしくは、上記の構成によれば、全ての出力ユニットにおける各音声の出力割合を同じにすることもできる。このようにしても、搭乗者は、決定された出力割合で、車両の内の位置に依存せず各音声を聞くことができる。
【図面の簡単な説明】
【００１６】
【図１】本発明の実施形態に係る車載端末装置の構成を示すブロック図である。
【図２】本発明の実施形態に係る車載端末装置のハードウエア構成の一例を示すブロック図である。
【図３】本発明の本実施形態に係る出力制御部に用いられるテーブルデータである。
【図４】本発明の本実施形態に係る出力制御部に用いられるテーブルデータである。
【図５】本発明の本実施形態に係る出力制御部に用いられるテーブルデータである。
【図６】本発明の本実施形態に係る車載端末装置の処理を示すフローチャート図である。
【図７】本発明の本実施形態に係る車載端末装置の処理を示すシーケンス図である。
【図８】本発明の本実施形態に係る車載端末装置の処理を示すシーケンス図である。
【図９】本発明の別実施形態に係る出力制御部に用いられるテーブルデータである。
【図１０】本発明の別実施形態に係る出力制御部に用いられるテーブルデータである。
【発明を実施するための形態】
【００１７】
〔第一の実施形態〕
本発明の第一の実施形態について図面に基づいて説明する。図１は、本実施形態に係る車両に搭載される車載端末装置１の構成を模式的に示すブロック図である。車載端末装置１は、無線通信を用いた車両外部との音声通話を行う音声通話装置２１、ナビゲーション装置２３、及びオーディオ再生装置２４を備えており、各装置は、それぞれ、通話音声の信号、車両に関する案内音声の信号、及びオーディオ音声の信号を生成する。ここで、通話音声の信号は、無線通信により、通話の相手先（以下、通話先とも称す）から伝達される音声信号である。そして、車載端末装置１は、通話音声と、車両に関する案内音声と、オーディオ音声との間の出力割合を制御して音声を出力する音声出力装置２０を備えている。このような構成において、本実施形態に係る音声出力装置２０は、通話音声を第一音声として、案内音声及びオーディオ音声を第二音声として、音声通話の相手先に応じて、第一音声と第二音声との出力割合を決定することに特徴を有している。
【００１８】
１．車載端末装置の構成
このような車載端末装置１のハードウエア構成の一例を、図２に示す。
車載端末装置１は、制御装置２と、制御装置２に接続されている各種機器と、の複数の機器から構成されている。車載端末装置１は、制御装置２と、制御装置２に接続されている各種機器とが協働して、音声通話装置２１、ナビゲーション装置２３、オーディオ再生装置２４、及び音声出力装置２０などの各装置として機能する。
【００１９】
１―１．共通部
車載端末装置１のハードウエア構成の内、制御装置２、データ記憶装置４、操作入力装置５、及び表示装置１１が、各種機能装置に共用されている共通部１７である。
【００２０】
制御装置２は、演算処理装置であり、ＣＰＵ、ＲＯＭ、ＲＡＭ、Ｉ／Ｏインターフェース、これらを接続するバスなどを備えて構成される。制御装置２は、各種プログラムを実行することにより、車載端末装置１の各機器の動作を統合的に制御し、各機能を発揮する。
【００２１】
データ記憶装置４は、制御装置２が用いる各種データを記憶する装置であり、フラッシュメモリや、ハードディスク（ＨＤＤ）や、ＤＶＤ−ＲＯＭや、ＣＤ−ＲＯＭなどから構成される。データ記憶装置４に記憶される各種データは、車載端末装置１が備える各種機能のためのプログラム及びデータなどである。なお、データ記憶装置４に記憶されるデータは、無線通信を用いた車両外部とのデータ通信、又は再生装置１２にセットされるＤＶＤ−ＲＯＭなどにより更新可能である。
【００２２】
操作入力装置５は、搭乗者が車載端末装置１を操作する操作入力を受け付ける装置であり、リモコンスイッチや、表示装置１１の周辺又は運転席の周辺に配置されたメカニカルスイッチや、表示装置１１のディスプレイ上に形成されたタッチスイッチなどから構成される。
【００２３】
表示装置１１は、車載端末装置１が備える各機能のメニュー表示画面や、ナビゲーション地図表示画面や、ＴＶ画面や、画像再生画面などの各種表示画面を表示する装置であり、例えばカラー液晶ディスプレイから構成される。
【００２４】
１―２．音声通話装置
音声通話装置２１は、車両外部との無線通信により、搭乗者が通話先との音声通話を行う機能を備える装置である。また、音声通話装置２１は、通常通話機能と緊急通報機能を備えており、緊急時に緊急通報先（通話先）に自動発信を行って音声通話を開始する。また、音声通話装置２１は、ハンズフリー機能を備えており、マイクロフォン１０、音声出力部９、及び操作入力装置５を用いて、搭乗者が携帯電話１５を手に持つことなく音声通話を行うことができる。
【００２５】
まず、図２の例に示した音声通話装置２１の機器構成について説明する。音声通話装置２１は、共通部１７に加えて、無線通信装置７、携帯電話接続装置８、マイクロフォン１０、及び車両信号入出力装置６の機器から構成されている。
また、車載端末装置１は、携帯電話接続装置８を介して、車両内部に備えられた携帯電話１５と無線又は有線通信により接続される。
【００２６】
データ記憶装置４には、音声通話プログラム、緊急通報プログラム、及び通話先データなどが記憶されている。
無線通信装置７及び携帯電話１５は、車両外部に存在する携帯電話通信網などの通信網１６との間で無線通信を行う装置であり、通話先への発信又は通話先からの着信により音声回線を接続して音声通信を行う。なお、無線通信装置７及び携帯電話１５は、無線通信により通信網１６との間で、データ回線を接続してデータ通信も行う。また、無線通信装置７及び携帯電話１５が接続する通信網１６は、携帯電話通信網に限られず、通信規格に応じて適宜変更可能である。例えば、無線ＬＡＮ等の公知のインターネット通信網であってもよい。
【００２７】
携帯電話接続装置８は、車両内部に備えられた携帯電話１５との間で無線又は有線通信を行う装置である。無線通信として、例えば、Ｂｌｕｅｔｏｏｔｈ、又は無線ＬＡＮなどの通信規格が用いられる。この通信により、車載端末装置１は、携帯電話１５が備える無線通信機能を介して、上記のように、車両外部の通信網１６との間で無線通信を行う。
【００２８】
マイクロフォン１０は、車両に搭乗している搭乗者などの音声を電気信号に変換する装置である。搭乗者の音声は、マイクロフォン１０により電気信号に変換されて車載端末装置１に入力され、無線通信を用いた車両外部との音声通話に用いられる。すなわち、車載端末装置１に入力された搭乗者の音声は、無線通信及び通信網１６を介して、通話先に伝達される。なお、車載端末装置１に音声認識機能を備え、搭乗者の音声を、車載端末装置１の音声通話装置２１などに対する操作入力とすることにより、マイクロフォン１０を操作入力装置５として機能するようにしてもよい。
【００２９】
車両信号入出力装置６は、車両に搭載されているエアバック装置や、衝突検出センサや、その他の各種装置に接続されて、エアバック作動信号や、衝突検出信号や、車両の故障信号などを車載端末装置１に入力する装置であり、緊急通報機能に用いられる。
【００３０】
次に、音声通話装置２１の本発明に係わる機能を説明する。
音声通話装置２１は、搭乗者が操作入力装置５又は携帯電話１５の操作により発信又は着信を行った場合に、無線通信を用いた通話先との音声通話を開始する。また、音声通話装置２１は、緊急時に通話先である緊急通報先に自動発信を行った場合にも、無線通信を用いた緊急通報先との音声通話を開始する。
音声通話装置２１は、音声通話を開始した場合に、通話先より伝達された音声信号である通話音声の信号を音声出力装置２０に出力する。この際、音声通話装置２１は、通話音声の信号に加えて、発信又は着信した通話先の電話番号などの通話先を特定できる情報も、音声出力装置２０に出力する。また、音声通話装置２１は、マイクロフォン１０から入力された搭乗者の音声信号を、通話先に伝達する。
【００３１】
音声通話装置２１が備える緊急通報機能は以下のようなものである。すなわち、音声通話装置２１は、車両信号入出力装置６にエアバック作動信号、衝突検出信号、又は重大な故障検出信号が入力された場合など、車両の重大な事故又は不具合を検出した場合に、緊急通報センターなどの予め設定された通話先である緊急通報先に自動発信し、無線通信を用いた緊急通報先との音声通話を開始する。また、音声通話装置２１は、搭乗者が操作入力装置５に備えられた緊急通報スイッチをオンにした場合にも、緊急通報先に自動発信し、音声通話を開始する。
また、音声通話装置２１は、緊急通報先との通信が開始した場合に、位置検出装置３を用いて検出した車両の位置情報、及び車両の事故又は不具合の情報を、データ又は音声で緊急通報先に伝達するように構成されている。
【００３２】
緊急通報センターは、通報された状況に応じて適切な処置（サービス）を行うセンターである。緊急通報センターのサービスには、例えば、緊急通報センターのオペレータが、搭乗者との通話により把握した状況、もしくは車両の位置及び事故情報などの状況に応じて、救急機関に状況を連絡して、搭乗者に代わって救急の出動を要請する、あるいは通話回線を適当な救急機関に転送接続する。ここで、救急機関は、警察、消防、病院、又はロードサービス機関などである。
緊急通報センターと接続できない場合、又は緊急通報センターとのサービス契約がない場合などは、音声通話装置２１は、救急機関などの緊急通報先に直接発信するようにしてもよい。この際、車両の衝突を検出した場合は、警察、消防に自動的に発信する構成や、搭乗者により緊急通報スイッチがオンにされた場合は、予め登録された複数の緊急通報先から発信先を選択可能に表示し、選択された１つの緊急通報先に発信する構成とすることができる。
【００３３】
１―３．ナビゲーション装置
ナビゲーション装置２３は、車両の目的地までの誘導経路の案内を行ったり、車両の周辺の道路情報、規制情報、及び地点情報の案内を行ったりするナビゲーション機能を備える装置である。
【００３４】
まず、図２の例に示したナビゲーション装置２３の機器構成について説明する。ナビゲーション装置２３は、共通部１７に加えて、位置検出装置３、及び車両信号入出力装置６の機器から構成されている。
データ記憶装置４には、ナビゲーションプログラム、地図データ、及び案内データなどが記憶されている。
位置検出装置３は、車両の位置を検出する装置であり、ＧＰＳ受信機、加速センサ、方位センサ、ジャイロスコープセンサなどから構成される。制御装置２は、位置検出装置３から検出信号が入力されると、車両の現在位置、進行方向、車速などを検出する。なお、位置検出装置３は、車両の位置検出するための各種センサの任意の組み合わせで構成されてもよい。
車両信号入出力装置６は、車両に搭載されている車速検出センサ、ステアリング角度センサなどに接続されて車速検出信号、ステアリング角度信号などを車載端末装置１に入力する装置である。入力された車速検出信号、ステアリング角度信号は、車両の位置検出に用いられる。
【００３５】
次に、ナビゲーション装置２３の本発明に係わる機能を説明する。
ナビゲーション装置２３は、車両に関する各種案内音声の信号を生成して、生成した案内音声の信号を音声出力装置２０に出力する。車両に関する各種案内音声の信号には、車両の目的地までの誘導経路に関する案内音声の信号や、車両の進路前方又は周辺の道路情報、規制情報、地点情報、渋滞情報に関する案内音声の信号などがある。車両に関する案内音声の信号は、車両の走行による位置移動に伴い、車両がイベント地点に到達したときに生成されたり、車両の周辺の渋滞状況などが変化したときに生成されたりする。例えば、ナビゲーション装置２３は、車両が誘導経路上の進路変更点に近づいたときに、車両の進路変更に関する案内音声の信号を生成する。また、ナビゲーション装置２３は、車両の進路上の渋滞情報を取得したときに、車両の進路上の渋滞情報に関する案内音声の信号を生成する。また、ナビゲーション装置２３は、車両が、案内情報が記憶されている地点に近づいたときに、車両の周辺地点の案内情報に関する案内音声の信号を生成する。なお、車両に関する案内音声の信号は、車両信号入出力装置６に入力された車両の故障情報、車両状態情報、メンテナンス情報などに関する案内音声を含むようにしてもよい。また、車両に関する案内音声の信号には、ラジオ電波などによる交通渋滞放送の音声信号、緊急地震速報などの災害放送の音声信号などに関する案内音声を含むようにしてもよい。
【００３６】
１―４．オーディオ再生装置
オーディオ再生装置２４は、例えば、再生装置により各種メディアを再生したり、ＴＶ又はラジオ電波を受信したり、文字データを読み上げたりして、オーディオ音声の信号を生成する装置である。
【００３７】
まず、図２の例に示したオーディオ再生装置２４の機器構成について説明する。オーディオ再生装置２４は、共通部１７に加えて、再生装置１２、チューナー１３、及び外部機器接続装置１４の機器から構成されている。
【００３８】
データ記憶装置４には、音声再生プログラム及び音声データや、ＴＶ及びラジオなどのチューナープログラムや、文字データ読み上げプログラム及び文字データなどが記憶されている。
再生装置１２は、再生装置１２に着脱可能にセットされるＣＤ、ＤＶＤなどのディスクを再生する装置であり、ＣＤ、ＤＶＤなどに記憶されている音楽データ、動画データを読み取る。なお、再生装置１２は、フラッシュメモリ、ハードディスクなどの各種データ記憶装置が着脱可能に接続されて、データ記憶装置に記憶されているデータを読み取るように構成されてもよい。
チューナー１３は、ＴＶ電波、ラジオ電波などの各種放送用電波を受信する装置である。
外部機器接続装置１４は、車載端末装置１と別体構成となっているオーディオ再生装置などの外部機器から出力される音声信号を、車載端末装置１に入力する接続装置である。外部機器接続装置１４は、ライン音声入力端子、デジタル音声入力端子、ＵＳＢ接続端子などの各種接続端子を備えている。
【００３９】
次に、オーディオ再生装置２４の本発明に係わる機能を説明する。
オーディオ再生装置２４は、搭乗者が操作入力装置５を操作して、データ記憶装置４に記憶されている音声データや、再生装置１２により読み取られる音楽データの再生指令が入力されている場合に、音声データを再生してオーディオ音声の信号を生成し、生成したオーディオ音声の信号を音声出力装置２０に出力する。なお、音声データには、動画データに含まれる音声データも含む。
【００４０】
また、オーディオ再生装置２４は、搭乗者が操作入力装置５を操作して、ＴＶ又はラジオなどの受信指令が入力されている場合に、チューナー１３により受信したＴＶ音声又はラジオ音声の信号からオーディオ音声の信号を生成して、生成したオーディオ音声の信号を音声出力装置２０に出力する。
オーディオ再生装置２４は、搭乗者が操作入力装置５を操作して、外部機器接続装置１４に入力されている音声信号を出力する指令が入力されている場合に、外部機器接続装置１４に入力されている音声信号をオーディオ音声の信号として生成し、生成したオーディオ音声の信号を音声出力装置２０に出力する。
オーディオ再生装置２４は、搭乗者が操作入力装置５を操作して、文字データの読み上げ指令が入力されている場合に、文字データを読み上げるオーディオ音声の信号を生成し、生成したオーディオ音声の信号を音声出力装置２０に出力する。
【００４１】
１―５．音声出力装置
音声出力装置２０は、各装置から入力された音声信号である、通話音声の信号と、車両に関する案内音声の信号と、オーディオ音声の信号との間の出力割合を制御して音声を出力する装置である。
【００４２】
音声出力装置２０は、共通部１７に加えて、音声出力部９の機器から構成されている。
データ記憶装置４には、音声出力プログラム、出力優先データ、及び優先通話先データなどが記憶されている。
音声出力部９は、音声出力装置２０内で各音声信号の出力割合が制御されて合成された音声信号を、単数又は複数のスピーカから出力する装置である。なお、音声出力部９は、アンプ及びスピーカを備えずに、ライン音声出力端子、デジタル音声出力端子、ヘッドフォン音声出力端子などの音声出力端子を備えるようにして、アンプ及びスピーカを車載端末装置１と別体構成としてもよい。また、音声出力部９は、アンプ及びスピーカと、各種音声出力端子との双方を備えるようにしてもよい。
音声出力部９は、モノラル音声、ステレオ音声、サラウンド音声などの音声チャンネル数の仕様に応じて、アンプ及びスピーカ、もしくは音声出力端子の仕様が変化する。本発明では、各音声チャンネルに対応する、アンプ及びスピーカ、もしくは音声出力端子を出力ユニットとする。
【００４３】
以下、本実施形態に係る車載端末装置１が備える音声出力装置２０について、詳細に説明する。
【００４４】
図１に示すように、本実施形態では、通常通信及び緊急通信の双方を含む通話音声が第一音声であり、案内音声及びオーディオ音声が第二音声である。
音声出力装置２０は、無線通信を用いた車両外部との音声通話による通話音声である第一音声の信号が入力される第一音声入力部３２と、少なくとも車両に関する案内音声を含む音声であって第一音声以外の第二音声の信号が入力される第二音声入力部３３と、第一音声及び第二音声の少なくとも一方の出力を行う音声出力部９と、音声出力部９により出力する音声の制御を行う出力制御部３１と、を備えている。
このような構成において、本実施形態に係る出力制御部３１は、第一音声と第二音声とが重複して入力されている場合に、音声通話の相手先に応じて、第一音声と第二音声との出力割合を決定することに特徴を有している。
【００４５】
また、音声出力装置２０は、第一音声を、音声通話の相手先に応じて、優先第一音声と、通常第一音声との二種類の音声種別に分類している。ここで、優先第一音声は、優先出力通話先３７として予め登録された通話先からの通話音声であり、通常第一音声は、優先出力通話先３７以外の通話先である通常出力通話先３８との通話音声である。
そして、出力制御部３１は、優先第一音声の第二音声に対する出力割合を、通常第一音声の第二音声に対する出力割合よりも高くする。
【００４６】
このように構成しているので、重要度又は緊急度が高い通話先などについては、優先出力通話先として予め登録することにより、通常の通話よりも通話音声の第二音声に対する出力割合を高めることができる。よって、車両内に出力される通話音声以外の音声を低減することができる。従って、通話先から伝達される音声を聞き取り易くでき、通話による情報伝達の確実性を高められる。
また、通話先が優先出力通話先以外の通話先である場合は、優先出力通話先との通話よりも通話音声の第二音声に対する出力割合を低下させて、第二音声の出力をより高めることができる。また、第二音声に含まれる車両に関する案内音声には、例えば、車両周辺の道路情報や、車両の故障情報などの、車両を安全又は快適に運転する上で必要となる情報が含まれる。よって、優先出力通話先以外の通話先については通話中に、案内による運転の安全性及び快適性が大幅に低下することを防止できると共に、通話に支障が生じることを抑制できる。
【００４７】
優先出力通話先３７としては、好適には、車両又は搭乗者に重大な事故又は不具合が生じた場合などの緊急事態において連絡する通話先が登録される。本実施形態では、図４に示すように、優先出力通話先３７としては、音声通話装置２１における緊急通報先、例えば、緊急通報センター、もしくは警察、消防、病院、及びロードサービス機関などの救急機関が登録されている。このように構成することで、音声通話装置２１の緊急通報機能により緊急時に緊急通報先に発信した場合に連動して、音声出力装置２０は、緊急通報先からの通話音声である優先第一音声の第二音声に対する出力割合を、通常第一音声の第二音声に対する出力割合よりも高くすることになる。従って、緊急通報先からの通話音声を、通常通話時より明瞭にすることができ、緊急時の情報伝達をより確実にすることができる。
【００４８】
なお、優先出力通話先３７は、搭乗者の入力、又は車載端末装置１のデータ更新により適宜変更可能であり、優先出力通話先３７として登録されている緊急通報先を変更し、あるいは、優先出力通話先３７に緊急通報先以外の通話先を登録することができる。この緊急通報先以外の通話先は、搭乗者が通話音声である第一音声の第二音声に対する出力割合を高くしたい通話先であり、仕事関係などの公用の通話先も好適である。
以下、上記のような、音声出力装置２０の機能を実現するためのより具体的な構成について説明する。
【００４９】
１―５−１．第一音声入力部及び第二音声入力部
図１に示すように、音声通話装置２１から出力された通話音声の信号は、第一音声の信号として音声出力装置２０の第一音声入力部３２に入力される。また、第一音声入力部３２には、音声出力装置２０から、通話先の情報も入力される。
また、ナビゲーション装置２３から出力された車両に関する案内音声の信号は、第二音声の信号として音声出力装置２０の第二音声入力部３３に入力される。オーディオ再生装置２４から出力されたオーディオ音声の信号も、第二音声の信号として第二音声入力部３３に入力される。
本実施形態では、この音声信号の入出力は、同一の制御装置２内で行われており、第一音声入力部３２及び第二音声入力部３３は、ソフトウエアインターフェースである。なお、音声出力装置２０と、音声通話装置２１、ナビゲーション装置２３、又はオーディオ再生装置２４とが、それぞれ個別の制御装置を備える構成とした場合は、第一音声入力部３２又は第二音声入力部３３を、ハードウエアインターフェースとしてもよい。
【００５０】
１―５−２．出力制御部
図１に示すように、第一音声入力部３２に入力された第一音声の信号及び通話先の情報と、第二音声入力部３３に入力された単数又は複数の第二音声の信号とは、そのまま出力制御部３１に入力される。
出力制御部３１は、本実施形態では、出力優先決定部３４、出力割合決定部３５、及び出力音声合成部３６の機能部から構成される。出力優先決定部３４は、通話先に応じて入力された第一音声の信号と第二音声の信号との間の出力優先度を決定する。出力割合決定部３５は、決定された出力優先度に基づき、入力された第一音声の信号と第二音声の信号との間の出力割合を決定する。出力音声合成部３６は、決定した各音声の出力割合に基づき、第一音声の信号と第二音声音の信号とを合成し、音声出力部９から出力される出力音声用の音声信号を生成する。以下に、各機能部３４、３５、３６を詳細に説明する。
【００５１】
１―５−２−１．出力優先決定部
出力優先決定部３４は、入力されている第一音声信号の通話先に応じて、入力されている第一音声信号と第二音声信号との間の出力優先度を決定する。
また、出力優先決定部３４は、入力されている第一音声信号の通話先が優先出力通話先である場合は、第一音声信号の音声種別を優先第一音声信号と決定し、第一音声信号の通話先が優先出力通話先以外の通話先である通常出力通話先の場合は、第一音声信号の音声種別を通常第一音声信号と決定する。そして、出力優先決定部３４は、優先第一音声の第二音声に対する出力割合を、通常第一音声の第二音声に対する出力割合よりも高くする。なお、出力優先決定部３４は、第二音声として入力されている案内音声信号又はオーディオ音声信号の音声種別を、それぞれの入力先に基づいて案内音声又はオーディオ音声と認識して決定する。
【００５２】
このように構成しているので、第一音声について、通話先に応じて優先第一音声と通常第一音声とに音声種別を設定しているので、通話先の重要度などに応じた分類をすることができる。また、第二音声について、車両に関する案内音声と、オーディオ音声に音声種別を設定しているので、運転の安全性との関連性に応じた分類をすることができる。また、案内音声には、ナビゲーション装置２３から出力される音声が含まれ、当該音声には運転支援を行う音声が含まれるので、案内音声は運転の安全性に大きく関連する。このように分類した各音声種別の音声の出力割合を決定しているので、通話の情報伝達の確実性などを優先して高めたい場合、案内による運転の安全性なども高めたい場合、及びそれ以外の場合に適合して、適切に出力割合を決定することができる。
【００５３】
第一音声信号の音声種別の決定方法について、より具体的に説明する。
出力優先決定部３４は、出力制御部３１に入力された通話先の情報から、通話先が優先出力通話先であるか、通常出力通話先であるか判定する。ここで、入力された通話先の情報は、通話先を特定できる情報であり、通話先の電話番号、名称、又は分類などである。より具体的には、出力優先決定部３４は、入力された通話先の電話番号、名称、又は分類が、予め登録されている優先出力通話先の電話番号、名称、又は分類に一致するか判定し、一致した場合は、通話先を優先出力通話先であると決定し、一致しなかった場合は、通話先を通常出力通話先であると決定する。
【００５４】
例えば、図４に示すように、少なくとも優先出力通話先の名称及び電話番号を登録したテーブルデータを（電話番号は不図示）、データ記憶装置４に記憶しておき、出力優先決定部３４は、入力された通話先の名称及び電話番号に基づき、テーブルデータを検索することにより、通話先が優先出力通話先３７であるか通常出力通話先３８であるか判定する。なお、緊急通報先を優先出力通話先の登録データに含めるとよい。もしくは、出力優先決定部３４は、入力された第一音声が緊急通報機能により発信された通話音声であると判定した場合は、通話先の情報を判定することなしに、通話先を優先出力通話先３７と決定するようにしてもよい。また、データ記憶装置４に、公衆又は私用の電話帳データベースが記憶されるように構成し、優先出力通話先として登録した分類と一致する電話帳データベースの通話先を優先出力通話先としてもよい。例えば、登録した分類を、警察、消防、病院、ロードサービス機関とすると、電話帳データベースに登録されている全ての警察、消防、病院、ロードサービス機関の通話先が優先出力通話先とされる。
【００５５】
次に、出力優先度の決定方法について、より具体的に説明する。出力優先決定部３４は、入力されている音声信号の音声種別に応じて、出力優先度を決定する。本実施形態では、出力優先決定部３４は、図３に示すテーブルデータのように、全ての音声種別のそれぞれについて、音声の出力形態として、通常出力、及び当該通常出力に対して割り込んで出力する割込出力のいずれかを予め設定すると共に、同じ出力形態が設定された複数の音声種別のそれぞれに同形態内優先度を予め設定した優先度設定データを、データ記憶装置４に記憶している。そして、出力優先決定部３４は、優先度設定データに記憶された、出力形態と、出力形態別に設定された同形態内優先度とに基づき、入力されている各音声信号の出力優先度を決定する。なお、出力形態として割込出力に設定された各音声種別の出力優先度は、出力形態として通常出力に設定された各音声種別の出力優先度より高く決定される。
【００５６】
ところで、音声には、オーディオ音声のように継続して出力される音声と、車両に関する案内音声のように所定期間だけ出力される音声がある。これらの音声が重複して入力された場合は、継続して出力されている音声に対して、割込んで他の音声を出力する形態となる。上記優先度設定データの構成によれば、各音声種別について、通常音声と、通常音声に割り込んで出力する割込音声との出力形態を設定しているので、音声が重複して入力された場合に適した出力形態に分類することができる。また、各出力形態に分類された音声種別のそれぞれについて同形態内優先度を設定しているので、各音声種別の出力形態毎にランク付けを行うことができ、同じ出力形態内での出力割合の決定が容易になる。
【００５７】
図３に示すように、出力優先決定部３４は、通常第一音声及びオーディオ音声の音声種別については、出力形態として通常出力を設定すると共に、通常第一音声の出力優先度をオーディオ音声の出力優先度より高く設定している。なお、図３の例では、値が小さいほど出力優先度が高い。また、出力優先決定部３４は、優先第一音声及び案内音声の音声種別については、出力形態として割込出力を設定すると共に、優先第一音声の出力優先度を案内音声の出力優先度より高く設定している。
【００５８】
例えば、案内音声と通常通話音声との音声種別の音声信号が重複して入力されている場合に、出力優先決定部３４は、案内音声と通常通話音声とに設定されている出力形態が異なるため、出力形態に基づき、割込出力に設定されている案内音声の出力優先度を、通常出力に設定されている通常通話音声の出力優先度より高く決定する。
また、案内音声と優先通話音声との音声種別の音声信号が重複して入力されている場合に、出力優先決定部３４は、案内音声と優先通話音声とに設定されている出力形態が同じ割込出力であるため、案内音声及び優先通話音声に設定されている出力優先度に基づき、優先通話音声の出力優先度を、案内音声の出力優先度より高く決定する。
【００５９】
また、オーディオ音声と優先通話音声との音声種別の音声信号が重複して入力されている場合に、出力優先決定部３４は、オーディオ音声と優先通話音声とに設定されている出力形態が異なるため、出力形態に基づき、割込出力に設定されている優先通話音声の出力優先度を、通常出力に設定されているオーディオ音声の出力優先度より高く決定する。
また、オーディオ音声と通常通話音声との音声種別の音声信号が重複して入力されている場合に、出力優先決定部３４は、オーディオ音声と通常通話音声とに設定されている出力形態が同じ通常出力であるため、オーディオ音声及び通常通話音声に設定されている出力優先度に基づき、通常通話音声の出力優先度を、オーディオ音声の出力優先度より高く決定する。
【００６０】
なお、４つの音声種別について考慮すると、出力優先度は、オーディオ音声、通常第一音声、案内音声、優先第一音声の順に高くなるように決定される。図５に示すように、各音声種別について出力形態及び同形態内優先度を設定せずに、出力優先度のみを設定するようにしてもよい。
【００６１】
１―５−２−２．出力割合決定部
出力割合決定部３５は、出力優先決定部３４により決定された出力優先度に基づいて、出力制御部３１に入力されている第一音声信号と第二音声信号との出力割合を決定する。言いかえれば、出力制御部３１は、出力形態と同形態内優先度とに基づいて、各音声種別の音声の出力割合を決定する。
上記のように、出力優先決定部３４は、入力されている第一音声信号の通話先に応じて、入力されている第一音声信号と第二音声信号との間の出力優先度を決定する。よって、出力割合決定部３５は、入力されている第一音声信号の通話先に応じて、入力されている第一音声信号と第二音声信号との出力割合を決定する。
また、上記のように、出力優先決定部３４は、入力されている第一音声信号の通話先が優先出力通話先である場合は、通話先が通常出力通話先である場合に比べ、第一音声の第二音声に対する出力優先度をより高く決定する。よって、出力割合決定部３５は、入力されている第一音声信号の通話先が優先出力通話先である場合は、通話先が通常出力通話先である場合に比べ、基本的に、第一音声の第二音声に対する出力割合をより高く設定する。
【００６２】
本実施形態では、出力割合決定部３５は、図３に示すテーブルデータのように、全ての音声種別のそれぞれについて、音声出力部９から出力される音声である出力音声を優先的に占有する割合である出力占有率を予め設定した出力占有率設定データを、データ記憶装置４に記憶している。そして、出力割合決定部３５は、入力されている各音声信号について決定された出力優先度に加え、出力占有率設定データに記憶された出力占有率にも基づいて、入力されている各音声種別の音声信号の出力割合を決定する。
【００６３】
出力割合の決定方法についてより具体的に説明する。出力割合決定部３５は、入力されている各音声信号の中で、出力優先度がより高く決定されている音声信号から順番に、設定されている出力占有率を上限として、出力音声を占有していき、最終的に各音声信号が出力音声に対して占有した割合を、各音声信号の出力割合として決定する。
【００６４】
図３に示す例では、優先第一音声、案内音声、通常第一音声、オーディオ音声の各音声種別の出力占有率は、それぞれ１００％、５０％、１００％、１００％と設定されている。
例えば、優先第一音声と案内音声の音声信号が入力されている場合は、優先第一音声の出力優先度は案内音声の出力優先度より高く決定されるため、まず優先第一音声が設定された出力占有率である１００％の出力音声を占有する。これにより、残りの占有可能な割合は０％となり、案内音声の出力音声の占有割合は０％となる。よって、優先第一音声と案内音声の音声信号の出力割合は、それぞれ１００％、０％となる。
この例からもわかるように、優先第一音声の音声信号が入力されている場合は、案内音声及びオーディオ音声の第二音声信号が入力されていても優先第一音声の出力優先度が最も高くなるため、優先第一音声の音声信号の出力割合は、設定されている出力占有率の１００％となり、第二音声信号の出力割合は残りの０％となる。よって、通話先が優先出力通話先であり、第一音声として優先第一音声を出力する場合には、出力割合決定部３５は、案内音声及びオーディオ音声の第二音声の出力を禁止して優先第一音声のみを出力する。
【００６５】
また例えば、通常第一音声と案内音声の音声信号が入力されている場合は、案内音声の出力優先度は通常第一音声の出力優先度より高く決定されるため、まず案内音声が設定された出力占有率である５０％を上限として出力音声を占有する。これにより、残りの占有可能な出力音声の割合は５０％となる。次に出力優先度が高い通常第一音声に設定された出力占有率である１００％を上限として、残りの出力音声を占有する。すなわち、通常第一音声の出力音声の占有割合は５０％となる。よって、通常第一音声と案内音声の音声信号の出力割合は、それぞれ５０％、５０％となる。
この例からもわかるように、通常第一音声の音声信号が入力されていても案内音声の音声信号が入力される場合は、通常第一音声よりも案内音声の出力優先度の方が高くなるため、案内音声の音声信号の出力割合は、設定された出力占有率の５０％分だけ優先的に確保され、通常第一音声の音声信号は、残りの出力割合の５０％分となる。よって、通話先が優先出力通話先でなく、第一音声として通常第一音声を出力する場合には、出力割合決定部３５は、通常第一音声と案内音声の第二音声とを共に出力する。
【００６６】
また例えば、案内音声とオーディオ音声の音声信号が入力されている場合は、案内音声の出力優先度はオーディオ音声の出力優先度より高く決定されるため、まず案内音声に設定された出力占有率である５０％を上限として出力音声を占有する。これにより、残りの占有可能な出力音声の割合は５０％となる。次に出力優先度が高いオーディオ音声に設定されている出力占有率である１００％を上限として、残りの出力音声を占有する。すなわち、オーディオ音声の出力音声の占有割合は５０％となる。よって、案内音声とオーディオ音声の音声信号の出力割合は、それぞれ５０％、５０％となる。
この例からもわかるように、オーディオ音声の音声信号が入力されていても案内音声の音声信号が入力される場合は、オーディオ音声よりも案内音声の出力優先度の方が高くなるため、案内音声の音声信号の出力割合は、設定された出力占有率の５０％分だけ優先的に確保され、オーディオ音声の音声信号は、残りの出力割合の５０％分となる。よって、オーディオ音声と案内音声とが重複して入力されている場合には、出力割合決定部３５は、オーディオ音声と案内音声とを共に出力する。
【００６７】
また例えば、通常第一音声とオーディオ音声の音声信号が入力されている場合は、通常第一音声の出力優先度はオーディオ音声の出力優先度より高く決定されるため、まず通常第一音声が設定された出力占有率である１００％の出力音声を占有する。これにより、残りの占有可能な割合は０％となり、オーディオ音声による出力音声の占有割合は０％となる。よって、通常第一音声とオーディオ音声の音声信号の出力割合は、それぞれ１００％、０％となる。
この例からもわかるように、オーディオ音声の音声信号が入力されていても第一音声の音声信号が入力される場合は、オーディオ音声よりも第一音声の出力優先度の方が高くなるため、第一音声の音声信号の出力割合は、設定されている出力占有率の１００％となり、オーディオ音声の出力割合は残りの０％となる。よって、オーディオ音声と通常第一音声又は優先第一音声とが重複して入力されている場合には、出力割合決定部３５は、オーディオ音声の出力を禁止して通常第一音声又は前記優先第一音声を出力する。
【００６８】
このように構成しているので、通話先が優先出力通話先である場合は、優先第一音声以外の音声の出力を禁止するので、他の音声が入力されている場合であっても、重要度又は緊急度が高い通話先との通話の情報伝達の確実性を最大限に高めることができる。また、優先出力通話との通話がされていない場合は、オーディオ音声が入力されている場合であっても、入力されている通常第一音声及び案内音声を必ず出力するようにしているので、通話の情報伝達の確実性及び案内による運転の安全性の双方を必ず維持することができる。また、オーディオ音声と通常第一音声が入力されている場合は、オーディオ音声の出力を禁止して、通常第一音声を出力するので、通話中に娯楽に関連するオーディオ音声が出力されることを防止でき、通話の情報伝達の確実性を最大限に高めることができる。一方、オーディオ音声と案内音声が入力されている場合は、オーディオ音声と案内音声とを共に出力し、娯楽と運転の安全性とを両立することができる。
【００６９】
１―５−２−３．出力音声合成部
出力音声合成部３６は、出力割合決定部３５が決定した各音声の出力割合に基づき、第一音声の信号と第二音声音の信号とを合成し、音声出力部９から出力される出力音声用の音声信号を生成する。
出力音声合成部３６は、決定した各音声の出力割合に、出力音声の全ての音声チャンネル（全ての出力ユニット）から出力される出力音声の合計での各音声の出力割合が一致するように、出力音声用の音声信号を生成する。
【００７０】
出力音声合成部３６は、決定した各音声の出力割合に基づいて、複数の出力ユニットのそれぞれにおける各音声の出力割合を設定し、出力音声用の音声信号を生成する。より具体的には、第一の設定方法として、各出力ユニットそれぞれにおける各音声の出力割合の全てを、決定した各音声の出力割合に設定する方法がある。また、第二の設定方法として、各出力ユニットそれぞれにおける各音声の出力割合を互いに異なるように設定するともに、全ての出力ユニットから出力される出力音声の合計での各音声の出力割合が、決定した各音声の出力割合に一致するように設定する方法である。
【００７１】
本実施形態では、第二の設定方法を採用する。具体的には、出力割合決定部３５は、図３に示すように、出力占有率設定データに、各音声種別について設定した出力占有率に加えて、各音声種別について、占有出力ユニットを設定する。ここで、占有出力ユニットは、複数の出力ユニットを備える場合に、各音声種別の音声により、優先的に占有する出力ユニットである。
ここでは、出力音声のチャンネル数をステレオ音声の２チャンネルとして、第一出力ユニット及び第二出力ユニットの２つの出力ユニットを備える構成を例に説明する。
【００７２】
例えば、通常第一音声信号と案内音声信号が重複して入力されており、図３に示す出力占有率設定データが設定されている場合には、上記のように、案内音声信号の出力優先度は、通常第一音声信号の出力優先度より高く決定される。そして、案内音声の占有出力ユニットが、第一出力ユニットに設定されているので、第一出力ユニットの出力音声が、案内音声１００％の出力割合に設定され、第二出力ユニットの出力音声が、通常第一音声１００％の出力割合に設定される。これにより、全ての出力ユニットから出力される出力音声の合計での各音声の出力割合が案内音声５０％、通常第一音声５０％に設定される。
また、オーディオ音声信号と案内音声信号が重複して入力されている場合には、上記のように、案内音声信号の出力優先度は、オーディオ音声信号の出力優先度より高く決定される。そして、案内音声の占有出力ユニットが、第一出力ユニットに設定されているので、第一出力ユニットの出力音声が、案内音声１００％の出力割合に設定され、第二出力ユニットの出力音声が、オーディオ音声１００％の出力割合に設定される。これにより、全ての出力ユニットから出力される出力音声の合計での各音声の出力割合が案内音声５０％、オーディオ音声５０％に設定される。
【００７３】
１―５−３．音声出力部
図１に示すように、出力制御部３１により生成された出力音声用の音声信号は、音声出力部９に入力される。音声出力部９は、出力ユニット毎に生成された音声信号を、各出力ユニットから出力する。
【００７４】
２．車載端末装置の処理
次に、車載端末装置１の音声出力装置２０における処理について、図６に示すフローチャートを参照して説明する。まず、出力制御部３１は、通話音声の信号、案内音声の信号、及びオーディオ音声の信号の中で、複数の音声信号が音声出力装置２０に入力されているか判定する（ステップ♯４０）。複数の音声信号が入力されていると判定した場合には（ステップ＃４０：Ｙｅｓ）、出力制御部３１は、出力優先決定部３４により、通話先に応じて、第一音声としての通話音声が優先第一音声か通常第一音声かを判定し、音声出力装置２０に入力されている優先第一音声の音声、通常第一音声の音声、案内音声の音声、又はオーディオ音声の信号の間の出力優先度を決定する（ステップ♯４１）。次に、出力制御部３１は、出力割合決定部３５により、決定された出力優先度に基づき、入力されている優先第一音声の信号、通常第一音声の信号、案内音声の信号、又はオーディオ音声の信号の間の出力割合を決定する（ステップ♯４２）。次に、出力制御部３１は、出力音声合成部３６により、決定した各音声の出力割合に基づき、入力されている優先第一音声の信号、通常第一音声の信号、案内音声の信号、又はオーディオ音声の信号を合成し、音声出力部９から出力される出力音声用の音声信号を生成する（ステップ♯４３）。そして、音声出力部９は、生成された出力音声用の音声信号を音声出力する、すなわち、入力されている優先第一音声の信号、通常第一音声の信号、案内音声の信号、又はオーディオ音声の信号を決定された出力割合で出力する（ステップ♯４４）。
【００７５】
次に、車載端末装置１の処理について、図７及び図８に示すシーケンス図の例に基づき説明する。図７及び図８は、車載端末装置１の処理のシーケンス図であり、縦軸は時間を示す。シーケンス図のオブジェクトに、音声通話装置２１、ナビゲーション装置２３、オーディオ再生装置２４、出力制御部３１、第一出力ユニット用の音声信号１及び第二出力ユニット用の音声信号２が設定されている。また、各オブジェクトについて示される矩形は、処理が起動中であることを示す。
図７は、通話先が通常出力通話先である場合における、通話音声と案内音声とオーディオ音声との間の出力優先についての処理を示している。
図８は、通話先が優先出力通話先である場合における、通話音声と案内音声とオーディオ音声との間の出力優先についての処理を示している。
【００７６】
最初に、図７に示す通話先が通常出力通話先である場合について説明する。
図７は、オーディオ再生装置２４によるオーディオ音声の再生中に、音声通話装置２１による通常出力通話先との音声通話が開始し、通常出力通話先との音声通話中にナビゲーション装置２３による案内音声が生成された事例における処理を示している。
まず、オーディオ再生装置２４が、搭乗者の操作指令により、音楽データの再生を開始する（ステップ♯５１）。続いて、オーディオ再生装置２４が、音声データを再生してオーディオ音声信号を生成する（ステップ♯５２）。オーディオ音声信号が出力制御部３１に入力された場合に、出力制御部３１が、他の音声信号が入力されていないので、オーディオ音声の出力優先度が最も高いと決定し、オーディオ音声１００％の出力割合で、各出力ユニット用の音声信号１及び音声信号２の生成を開始する（ステップ♯５３）。続いて、出力制御部３１が、オーディオ音声信号から出力音声用の音声信号１及び音声信号２を生成して、第一出力ユニット及び第二出力ユニットから音声出力させる（ステップ♯５４、♯５５）。
【００７７】
その後、音声通話装置２１が、発信又は着信により、通常出力通話先との音声通話を開始する（ステップ♯５６）。続いて、音声通話装置２１が、通話音声信号を生成する（ステップ♯５７）。通話音声信号が出力制御部３１に入力された場合、出力制御部３１が、通話先から通常通話音声であると判定する共に、通常通話音声の出力優先度は、オーディオ音声の出力優先度より高いと決定する（ステップ♯５８）。続いて、出力制御部３１が、決定した出力優先度に基づき、通常通話音声１００％の出力割合を決定し、音声信号１及び音声信号２の生成を開始する（ステップ♯５９）。続いて、出力制御部３１が、オーディオ音声信号からの音声信号の生成を終了し、通常通話音声信号から音声信号１及び音声信号２を生成して、第一出力ユニット及び第二出力ユニットから音声出力させる（ステップ♯６０、♯６１）。
【００７８】
その後、ナビゲーション装置２３が、イベント地点に到達したことなどにより、案内音声の信号の生成を開始する（ステップ♯６２）。続いて、ナビゲーション装置２３が、案内音声信号を生成する（ステップ♯６３）。案内音声信号が出力制御部３１に入力された場合、出力制御部３１が、案内音声、通常通話音声、オーディオ音声の順に出力優先度が高くなると決定する（ステップ♯６４）。続いて、出力制御部３１が、決定した出力優先度に基づき、案内音声５０％、通常通話音声５０％の出力割合を決定し、音声信号１及び音声信号２の生成を開始する（ステップ♯６５）。ここで、図７には、上記した、図３に示した出力占有率設定データに基づいて、各出力ユニット用の音声信号が生成される場合の例を示しており、音声信号１が案内音声１００％の出力割合に設定され、音声信号２が通常第一音声１００％の出力割合に設定されている。続いて、出力制御部３１が、音声信号１については、通常通話音声からの音声信号の生成を終了し、案内音声からの音声信号を生成して、第一出力ユニットから音声出力させる（ステップ♯６６）。なお、音声信号２については、引き続き、通常通話音声からの音声信号が生成される。
【００７９】
その後、ナビゲーション装置２３が、案内が終了したことなどにより、案内音声の信号の生成を終了する（ステップ♯６７）。案内音声信号が出力制御部３１に入力されなくなった場合に、出力制御部３１が、通常通話音声、オーディオ音声の順に出力優先度が高くなると決定し、決定した出力優先度に基づき、通常通話音声１００％の出力割合を決定し、音声信号１及び音声信号２の生成を開始する（ステップ♯６８）。続いて、出力制御部３１が、音声信号１については、案内音声からの音声信号の生成を終了し、通常通話音声からの音声信号を生成して、第一出力ユニットから音声出力させる（ステップ♯６９）。なお、音声信号２については、引き続き、通常通話音声からの音声信号が生成される。
【００８０】
その後、音声通話装置２１が、通話が終了したことなどにより、通話音声の信号の生成を終了する（ステップ♯７０）。通話音声の信号が出力制御部３１に入力されなくなった場合に、出力制御部３１が、オーディオ音声の出力優先度が最も高いと決定し、オーディオ音声１００％の出力割合で、音声信号１及び音声信号２の生成を開始する（ステップ♯７１）。続いて、出力制御部３１が、オーディオ音声信号から音声信号１及び音声信号２を生成して、第一出力ユニット及び第二出力ユニットから音声出力させる（ステップ♯７２、♯７３）。
【００８１】
次に、図８に示す通話先が優先出力通話先である場合について説明する。
図８は、オーディオ再生装置２４によるオーディオ音声の再生中に、音声通話装置２１による優先出力通話先との音声通話が開始し、優先出力通話先との音声通話中にナビゲーション装置２３による案内音声が生成された事例における処理を示している。
まず、オーディオ再生装置２４が、音楽データの再生を開始する（ステップ♯１０１）。続いて、オーディオ再生装置２４が、音声データを再生してオーディオ音声信号を生成する（ステップ♯１０２）。オーディオ音声信号が出力制御部３１に入力された場合に、出力制御部３１が、他の音声信号が入力されていないので、オーディオ音声の出力優先度が最も高いと決定し、オーディオ音声１００％の出力割合で、音声信号１及び音声信号２の生成を開始する（ステップ♯１０３）。続いて、出力制御部３１が、オーディオ音声信号から音声信号１及び音声信号２を生成して、第一出力ユニット及び第二出力ユニットから音声出力させる（ステップ♯１０４、♯１０５）。
【００８２】
その後、音声通話装置２１が、救急通報機能による発信などにより、優先出力通話先との音声通話を開始する（ステップ♯１０６）。続いて、音声通話装置２１が、通話音声信号を生成する（ステップ♯１０７）。通話音声信号が出力制御部３１に入力された場合、出力制御部３１が、通話先から優先通話音声であると判定する共に、優先通話音声の出力優先度は、オーディオ音声の出力優先度より高いと決定する（ステップ♯１０８）。続いて、出力制御部３１が、決定した出力優先度に基づき、優先通話音声１００％の出力割合を決定し、音声信号１及び音声信号２の生成を開始する（ステップ♯１０９）。続いて、出力制御部３１が、オーディオ音声信号からの音声信号の生成を終了し、優先通話音声信号から音声信号１及び音声信号２を生成して、第一出力ユニット及び第二出力ユニットから音声出力させる（ステップ♯１１０、♯１１１）。
【００８３】
その後、ナビゲーション装置２３が、案内音声の信号の生成を開始する（ステップ♯１１２）。続いて、ナビゲーション装置２３が、案内音声信号を生成する（ステップ♯１１３）。案内音声信号が出力制御部３１に入力された場合、出力制御部３１が、優先通話音声、案内音声、オーディオ音声の順に出力優先度が高くなると決定し、決定した出力優先度に基づき、優先通話音声１００％の出力割合を決定する。そして、出力制御部３１が、決定前後で出力割合に変更がないと判定し、音声信号１及び音声信号２の生成の開始又は終了の処理を行うことなく処理を終了する（ステップ♯１１４）。
【００８４】
〔その他の実施形態〕
（１）上記の実施形態においては、装置２０〜２４が、共通部１７として制御装置２、データ記憶装置４、操作入力装置５、及び表示装置１１を備えた一体的な装置として構成されている場合を例として説明した。しかし、本発明の実施形態はこれに限定されない。すなわち、装置２０〜２４のそれぞれ、又は装置２０〜２４の任意の組み合わせのそれぞれが、制御装置２、データ記憶装置４、操作入力装置５、及び表示装置１１を備えた、別体として構成されるようにすることも本発明の好適な実施形態の一つである。この場合、装置２０〜２４の間の音声信号などの信号の入出力は、上記のように、ハードウエアインターフェースを介して行なわれる。
【００８５】
（２）上記の実施形態においては、音声通話装置２１における無線通信を行う装置として、携帯電話１５に接続される携帯電話接続装置８、及び無線通信装置７を備える場合を例として説明した。しかし、本発明の実施形態はこれに限定されない。すなわち、音声通話装置２１における無線通信を行う装置として、携帯電話１５に接続される携帯電話接続装置８、又は無線通信装置７のいずれか一方を備えるようにすることも本発明の好適な実施形態の一つである。
【００８６】
（３）上記の実施形態においては、音声通話装置２１は、携帯電話１５又は無線通信装置７のいずれか一方により、音声通話を行う場合を例として説明した。しかし、本発明の実施形態はこれに限定されない。すなわち、携帯電話１５及び無線通信装置７が重複して回線を接続している場合は、通話先が優先出力通話先である通話音声の信号が音声出力装置２０から出力されるようにすることも本発明の好適な実施形態の一つである。また、携帯電話１５及び無線通信装置７の通話先が共に優先出力通話先である場合は、先に回線を接続した方、あるいは優先出力通話先に登録された通話先の中でより優先度の高い通話先に回線を接続している方の通話音声が出力されるようにしてもよい。
【００８７】
（４）上記の実施形態においては、出力制御部３１が、優先第一音声の信号と案内音声の信号が重複して入力される場合は、出力割合を優先通話音声１００％、案内音声０％と決定し、通常第一音声の信号と案内音声の信号が重複して入力される場合は、出力割合を通常通話音声５０％、案内音声５０％と決定する場合を例として説明した。しかし、本発明の実施形態はこれに限定されない。すなわち、出力制御部３１は、優先第一音声の案内音声に対する出力割合が、通常第一音声の案内音声に対する出力割合よりも高くなるように決定すればよく、例えば、それぞれの場合において、出力割合を優先通話音声９０％、案内音声１０％と決定し、通常通話音声６０％、案内音声４０％と決定することも本発明の好適な実施形態の一つである。また、この出力割合の変更のために、出力占有率の設定も変更される。例えば、優先通話音声、案内音声、通常通話音声の出力占有率は、それぞれ、９０％、４０％、９０％に変更される。
【００８８】
（５）上記の実施形態においては、出力制御部３１が、優先通話音声、案内音声、通常通話音声、及びオーディオ音声の種別毎に一括して出力割合を決定し、出力占有率を設定する場合を例として説明した。しかし、本発明の実施形態はこれに限定されない。すなわち、出力制御部３１は、優先第一音声の案内音声に対する出力割合が、通常第一音声の案内音声に対する出力割合よりも高くなるように決定すればよく、例えば、優先通話先に登録された警察、会社などの通話先毎、または経路案内音声、渋滞案内音声などの案内音声の種類毎、通常通話先に登録された友人、家族などの通話先毎に各音声種別の出力割合を決定し、出力占有率を設定することも本発明の好適な実施形態の一つである。もしくは、緊急通報機能が検出した事故、故障の種類、又はオンにされた緊急通報スイッチに応じて、優先通話音声の出力割合を決定し、出力占有率を設定してもよい。
【００８９】
（６）上記の実施形態においては、通常通話音声の出力形態が、通常出力として設定されている場合を例として説明した。しかし、本発明の実施形態はこれに限定されない。すなわち、通常通話音声の出力形態を、割込出力として設定し、同形態内優先度を３に設定し、割込出力の出力形態内で、通常通話音声、案内音声、優先通話音声の順に同形態内優先度が高くなるように設定することも本発明の好適な実施形態の一つである。
【００９０】
（７）上記の実施形態においては、オーディオ音声の信号に、音声データの再生、ＴＶ電波の受信、文字データの読み上げなどにより生成される音声の信号が含まれる場合を例として説明した。しかし、本発明の実施形態はこれに限定されない。すなわち、オーディオ音声の信号に、通話音声及び車両に関する案内音声を除く音声信号であって、上記したオーディオ音声信号以外の音声信号が含まれてもよく、例えば、テレマティクスサービスによる各種情報サービスの音声信号を含むようにすることも本発明の好適な実施形態の一つである。テレマティクスサービスには、電子メールサービス、ニュース配信サービスなどがある。
【００９１】
（８）上記の実施形態においては、出力割合決定部３５は、出力占有率設定データに、図３に示したように、各音声種別について、出力占有率及び占有出力ユニットを設定する場合を例として説明した。しかし、本発明の実施形態はこれに限定されない。すなわち、出力割合決定部３５は、出力占有率設定データに、各音声種別について、出力占有率を設定せずに、占有出力ユニットのみを設定することも本発明の好適な実施形態の一つである。そして、出力割合決定部３５は、入力されている各音声信号の中で、出力優先度がより高く決定されている音声信号から順番に、設定されている占有出力ユニットの出力音声を占有していき、この結果、複数の出力ユニットのそれぞれにおける各音声の出力割合が決定されるようにしてもよい。
例えば、図３に代えて、図９に示す出力占有率設定データに変更することができる。すなわち、図３において、１００％の出力占有率が設定されていた音声種別については、図９において、占有出力ユニットとして「第一出力ユニット及び第二出力ユニット」が設定される。また、図３において、５０％の出力占有率に加え、占有出力ユニットとして「第一出力ユニット」が設定されていた音声種別については、図９において、占有出力ユニットとして「第一出力ユニット」が設定される。
このようにしても、通常第一音声信号と案内音声信号が重複して入力された場合は、第一出力ユニットの出力音声が案内音声１００％の出力割合に設定され、第二出力ユニットの出力音声が通常第一音声１００％の出力割合に設定される。
【００９２】
（９）上記の実施形態においては、出力割合決定部３５は、出力占有率設定データに、図３に示したように、各音声種別について、出力占有率及び占有出力ユニットを設定する場合を例として説明した。しかし、本発明の実施形態はこれに限定されない。すなわち、出力割合決定部３５は、上記した第一の設定方法の場合では、図１０に示すように、出力占有率設定データに、各音声種別について、占有出力ユニットを設定せずに出力占有率のみを設定することも本発明の好適な実施形態の一つである。そして、出力割合決定部３５は、上記したように、図１０に設定された出力占有率に基づき各音声の出力割合を決定し、各出力ユニットそれぞれにおける各音声の出力割合の全てを、決定した各音声の出力割合に設定する。
【産業上の利用可能性】
【００９３】
本発明は、無線通信を用いた車両外部との音声通話による通話音声の出力を制御する車両に搭載される車載端末装置に好適に利用することができる。
【符号の説明】
【００９４】
１：車載端末装置
２：制御装置
３：位置検出装置
４：データ記憶装置
５：操作入力装置
６：車両信号入出力装置
７：無線通信装置
８：携帯電話接続装置
９：音声出力部
１０：マイクロフォン
１１：表示装置
１２：再生装置
１３：チューナー
１４：外部機器接続装置
１５：携帯電話
１６：通信網
２０：音声出力装置
２１：音声通話装置
２３：ナビゲーション装置
２４：オーディオ再生装置
３１：出力制御部
３２：第一音声入力部
３３：第二音声入力部
３４：出力優先決定部
３５：出力割合決定部
３６：出力音声合成部
３７：優先出力通話先
３８：通常出力通話先
【図１】
0005652913.tif 000002
【図２】
0005652913.tif 000003
【図３】
0005652913.tif 000004
【図４】
0005652913.tif 000005
【図５】
0005652913.tif 000006
【図６】
0005652913.tif 000007
【図７】
0005652913.tif 000008
【図８】
0005652913.tif 000009
【図９】
0005652913.tif 000010
【図１０】
0005652913.tif 000011